(57)【要約】【課題】遮蔽材を移動させるためのコードの移動操作に係る操作性を向上させるよう、当該コードに対し自動巻き上げによる収納機能を持つ自動巻上式把手、及び遮蔽装置を提供する。【解決手段】本発明の自動巻上式把手８は、遮蔽材（スラット３）を移動させるためのコード（昇降コードＣ１，Ｃ２，Ｃ３）の移動操作のために引き出し可能に導出される当該コードの末端を巻取可能に吊下されるリール８０と、リール８０を巻取方向へ付勢するぜんまい８３と、リール８０及びぜんまい８３を収容するケース部８１ａ，８１ｂと、ケース部８１ａ，８１ｂに対し操作可動する押圧部８２ａ，８２ｂとを備える。押圧部８２ａ，８２ｂは、当該移動操作時に可動してリール８０の回転を阻止する制動片８２２を有し、非操作時にぜんまい８３によるリール８０の回転を許容し、当該コードの自動巻き上げを可能とする。本発明の遮蔽装置は、自動巻上式把手８を備える。【選択図】図２
2018003440.tif 000002
【特許請求の範囲】
【請求項１】
遮蔽材を移動させるためのコードの移動操作に係る当該コードに対し自動巻き上げによる収納機能を持つ自動巻上式把手であって、
遮蔽材を移動させるためのコードの移動操作のために引き出し可能に導出される当該コードの末端を巻取可能に吊下されるリールと、
前記リールを巻取方向へ付勢する回転付勢手段と、
前記リール及び前記回転付勢手段を収容するケース部と、
前記ケース部の一部に設けられ操作者の操作により可動する押圧部とを備え、
前記押圧部は、当該移動操作時に可動して前記リールの回転を阻止する回転阻止手段を有し、当該移動操作の非操作時に前記回転付勢手段による前記リールの回転を許容し、前記コードの自動巻き上げを可能とするよう構成されていることを特徴とする自動巻上式把手。
【請求項２】
前記押圧部は、前記ケース部の一側部、両側部、上部、又は下部のうち少なくとも１つの部位に設けられていることを特徴とする、請求項１に記載の自動巻上式把手。
【請求項３】
当該コードの移動操作の非操作時に、前記押圧部における前記回転阻止手段を前記リールから離間させる付勢手段を更に備えることを特徴とする、請求項１又は２に記載の自動巻上式把手。
【請求項４】
当該コードの移動操作の非操作時に、所定の操作棒の末端に位置するよう前記回転付勢手段により付勢されていることを特徴とする、請求項１から３のいずれか一項に記載の自動巻上式把手。
【請求項５】
前記押圧部は、２回の押し込み操作によるスイッチ式の構造を有することを特徴とする、請求項１から４のいずれか一項に記載の自動巻上式把手。
【請求項６】
請求項１から５のいずれか一項に記載の自動巻上式把手を備えることを特徴とする遮蔽装置。
【請求項７】
当該遮蔽装置は、前記自動巻上式把手による当該移動操作の非操作時に前記遮蔽材の自重下降を防止可能とするストッパー装置を備え、
前記ストッパー装置が当該コードの移動を許容する作動解除状態にて前記遮蔽材が自重下降するよう構成され、
前記自動巻上式把手における前記回転付勢手段の付勢力は、前記遮蔽材の自重下降する力よりも弱くなるよう設定されていることを特徴とする、請求項６に記載の遮蔽装置。
【請求項８】
前記ストッパー装置は、前記自動巻上式把手の操作による当該コードの移動を許容する作動解除状態にて、当該遮蔽材の自重下降の防止機能について作動解除状態を維持するよう構成されていることを特徴とする、請求項７に記載の遮蔽装置。
【請求項９】
前記自動巻上式把手は、当該遮蔽材の自重下降の下降速度を一定速度以下に制限するブレーキ装置として作用することを特徴とする、請求項７又は８に記載の遮蔽装置。
【発明の詳細な説明】
【技術分野】
【０００１】
本発明は、遮蔽材を移動させるためのコードの移動操作により遮蔽材の開閉を可能とする、横型ブラインド、プリーツスクリーン、ローマンシェード、或いは、縦型ブラインド又はアコーディオンカーテン等の遮蔽装置にて、当該コードの自動巻き上げによる収納機能を持つ自動巻上式把手、及びその遮蔽装置に関する。
【背景技術】
【０００２】
遮蔽材を移動させるためのコードの移動操作により遮蔽材の開閉を可能とする遮蔽装置として、典型的にはヘッドボックスから外部に導出される昇降コードを手引き操作する横型ブラインドがある。
【０００３】
このような横型ブラインドは、ヘッドボックスから複数本のラダーコードを介して多数段のスラットが吊下支持され、そのラダーコードの下端にボトムレールが吊下支持される。また、ヘッドボックスから複数本の昇降コードが垂下され、その昇降コードの一端部はボトムレールに接続され、その他端部はヘッドボックス内に案内されてコード出口を経て外部に導出される。
【０００４】
そして、ヘッドボックス内には複数本のラダーコードを支持する支持部材が配設され、この支持部材に角度調節軸が挿通される。この角度調節軸の一端がヘッドボックス内に設けられる操作装置内のギヤ機構の出力軸に連結される。また、そのギヤ機構の入力軸がヘッドボックスに設けられた開口部からヘッドボックス外へ突出され、その入力軸の先端に操作棒が連結される。この操作棒の回転操作により、スラットの角度調節が可能となる。
【０００５】
一方、昇降コードは、ヘッドボックス内からコード出口を経て当該操作棒内に案内し、その操作棒の下端部において、つまみに接続する構成とするものがある。
【０００６】
そして、当該つまみを操作して、昇降コードをヘッドボックス（即ち、操作棒の下端部）から引き出せば、ボトムレールが引き上げられて、スラットが上昇する。
【０００７】
尚、このような操作棒を経て昇降コードの移動を手引き操作する横型ブラインドでは、ボトムレール及びスラットの自重によりスラットを下降させることになる。このため、ヘッドボックス内には昇降コードの移動をロックするストッパー装置が設けられる。
【０００８】
従って、昇降コードの引き出し操作を停止すれば、ストッパー装置が作動して、スラット及びボトムレールの自重降下が防止される。また、ストッパー装置の作動を解除すれば、スラット及びボトムレールはその自重に基づいて下降する。
【０００９】
ところで、このような昇降コードの移動操作に関し、上述したようなつまみを利用する横型ブラインドでは、その引き操作に係る長さ分だけ昇降コードが当該操作棒から余分に引き出される。このとき、その引き出された昇降コードが邪魔になることから、操作棒にコードフックを設け、このコードフックに当該余分に引き出される昇降コードを引っ掛ける構成とするものもある。
【００１０】
しかしながら、このように余分に引き出される昇降コードをコードフックに引っ掛ける構成では、その美観を損ねることや、操作する度にコードフックから当該昇降コードを外す必要があり、その操作性が低下するなどの問題点がある。
【００１１】
そこで、当該余分に引き出される昇降コードの長さを調整可能とする把手兼収納リールが開示されている（例えば、特許文献１参照）。
【先行技術文献】
【特許文献】
【００１２】
【特許文献１】実公平８−９３５５号公報
【発明の概要】
【発明が解決しようとする課題】
【００１３】
前述したように、つまみを用いてスラットを上昇させるよう引き操作する横型ブラインドでは、引き操作に係る昇降コードが当該操作棒から余分に引き出されることから、その美観を損ねることや、余分に引き出される昇降コードをコードフックに引っ掛ける構成では操作する度にコードフックから当該昇降コードを外す必要があり、その操作性が低下するなどの問題点がある。
【００１４】
一方、特許文献１に開示されるように、当該余分に引き出される昇降コードの長さを調整可能とする把手兼収納リールでは、自動収納する構成ではなく操作者によってその長さ調整を行うことになるため、その調整負担が生じる。例えば、或る操作者が把手兼収納リールを用いて操作しようとしても、別の操作者によってその長さ調整が行われている場合では、その都度、調整し直す必要があり、操作性の観点で課題が残る。
【００１５】
このような問題は、横型ブラインドに限らず、遮蔽材を移動させるためのコードの移動操作により遮蔽材の開閉を可能とする遮蔽装置において共通に生じうる。
【００１６】
従って、遮蔽材を移動させるためのコードの移動操作に係る操作性をより向上させる技法が望まれる。
【００１７】
本発明の目的は、上述の問題に鑑みて、遮蔽材を移動させるためのコードの移動操作に係る操作性を向上させるよう、当該コードに対し自動巻き上げによる収納機能を持つ自動巻上式把手、及びその遮蔽装置を提供することにある。
【課題を解決するための手段】
【００１８】
本発明の自動巻上式把手は、遮蔽材を移動させるためのコードの移動操作に係る当該コードに対し自動巻き上げによる収納機能を持つ自動巻上式把手であって、遮蔽材を移動させるためのコードの移動操作のために引き出し可能に導出される当該コードの末端を巻取可能に吊下されるリールと、前記リールを巻取方向へ付勢する回転付勢手段と、前記リール及び前記回転付勢手段を収容するケース部と、前記ケース部の一部に設けられ操作者の操作により可動する押圧部とを備え、前記押圧部は、当該移動操作時に可動して前記リールの回転を阻止する回転阻止手段を有し、当該移動操作の非操作時に前記回転付勢手段による前記リールの回転を許容し、前記コードの自動巻き上げを可能とするよう構成されていることを特徴とする。
【００１９】
また、本発明の自動巻上式把手において、前記押圧部は、前記ケース部の一側部、両側部、上部、又は下部のうち少なくとも１つの部位に設けられていることを特徴とする。
【００２０】
また、本発明の自動巻上式把手において、当該コードの移動操作の非操作時に、前記押圧部における前記回転阻止手段を前記リールから離間させる付勢手段を更に備えることを特徴とする。
【００２１】
また、本発明の自動巻上式把手において、当該コードの移動操作の非操作時に、所定の操作棒の末端に位置するよう前記回転付勢手段により付勢されていることを特徴とする。
【００２２】
また、本発明の自動巻上式把手において、前記押圧部は、２回の押し込み操作によるスイッチ式の構造を有することを特徴とする。
【００２３】
更に、本発明の遮蔽装置は、本発明の自動巻上式把手を備えることを特徴とする。
【００２４】
また、本発明の遮蔽装置において、当該遮蔽装置は、前記自動巻上式把手による当該移動操作の非操作時に前記遮蔽材の自重下降を防止可能とするストッパー装置を備え、前記ストッパー装置が当該コードの移動を許容する作動解除状態にて前記遮蔽材が自重下降するよう構成され、前記自動巻上式把手における前記回転付勢手段の付勢力は、前記遮蔽材の自重下降する力よりも弱くなるよう設定されていることを特徴とする。
【００２５】
また、本発明の遮蔽装置において、前記ストッパー装置は、前記自動巻上式把手の操作による当該コードの移動を許容する作動解除状態にて、当該遮蔽材の自重下降の防止機能について作動解除状態を維持するよう構成されていることを特徴とする。
【００２６】
また、本発明の遮蔽装置において、前記自動巻上式把手は、当該遮蔽材の自重下降の下降速度を一定速度以下に制限するブレーキ装置として作用することを特徴とする。
【発明の効果】
【００２７】
本発明によれば、遮蔽材を移動させるためのコードの移動操作に係る操作性を向上させることができる。
【図面の簡単な説明】
【００２８】
【図１】本発明による一実施形態の遮蔽装置として構成される横型ブラインドの概略構成を示す正面図である。
【図２】本発明による一実施形態の遮蔽装置として構成される横型ブラインドにおける実施例１の自動巻上式把手の概略構成を示す分解斜視図である。
【図３】（ａ）は、本発明による一実施形態の遮蔽装置として構成される横型ブラインドにおける実施例１の自動巻上式把手のぜんまいの取着位置を示す部分的な断面正面図であり、（ｂ），（ｃ）は、その変形例をそれぞれ示す部分的な断面正面図である。
【図４】（ａ）,（ｂ）は、それぞれ本発明による一実施形態の遮蔽装置として構成される横型ブラインドにおける実施例１の自動巻上式把手の操作時及び非操作時の操作方法を示す断面正面図である。
【図５】（ａ）,（ｂ）は、それぞれ本発明による一実施形態の遮蔽装置として構成される横型ブラインドにおける実施例１の自動巻上式把手の操作に関する動作を示す部分的な正面図である。
【図６】（ａ）,（ｂ）は、それぞれ本発明による一実施形態の遮蔽装置として構成される横型ブラインドにおけるボトムレール下限位置の状態と、実施例１の自動巻上式把手の操作による上昇動作を概略的に示す正面図である。
【図７】本発明による一実施形態の遮蔽装置として構成される横型ブラインドにおけるストッパー装置の作動状態を概略的に示す正面図である。
【図８】（ａ）,（ｂ）は、それぞれ本発明による一実施形態の遮蔽装置として構成される横型ブラインドにおけるストッパー装置の作動解除操作と、ストッパー装置の作動解除に伴い下降するスラット及びボトムレールの動作を概略的に示す正面図である。
【図９】（ａ），（ｂ），（ｃ）は、それぞれ本発明による一実施形態の遮蔽装置として構成される横型ブラインドにおける実施例１の自動巻上式把手に対する変形例を示す断面正面図である。
【図１０】（ａ），（ｂ），（ｃ）は、それぞれ本発明による一実施形態の遮蔽装置として構成される横型ブラインドにおける実施例１の自動巻上式把手に対する更なる変形例を示す断面正面図である。
【図１１】本発明による一実施形態の遮蔽装置として構成される横型ブラインドにおける実施例２の自動巻上式把手の概略構成を示す分解斜視図である。
【発明を実施するための形態】
【００２９】
以下、図面を参照して、本発明による一実施形態の遮蔽装置として構成される横型ブラインドを説明する。尚、本願明細書中、図１に示す横型ブラインドの正面図に対して、図示上方及び図示下方を遮蔽材（スラット）３の吊り下げ方向に準じてそれぞれ上方向（又は上側）及び下方向（又は下側）と定義し、図示左方向を横型ブラインドの左側、及び、図示右方向を横型ブラインドの右側と定義して説明する。また、以下に説明する例では、図１に示す横型ブラインドの正面図に対して、視認する側を前側（又は室内側）、その反対側を後側（又は室外側）とする。
【００３０】
（横型ブラインドの構成）
図１は、本発明による一実施形態の遮蔽装置として構成される横型ブラインドの概略構成を示す正面図である。本実施形態の横型ブラインドは、ヘッドボックス１の左右両側及びその中央から吊下支持するラダーコード２を介して多数段のスラット３が吊下支持され、そのラダーコード２の下端にボトムレール４が吊下支持されている。
【００３１】
また、ヘッドボックス１から、例えばその左右両側では室外側のラダーコード２に併設して複数の昇降コードＣ１，Ｃ３が垂下され、その中央側では室内側のラダーコード２に併設して昇降コードＣ２が垂下され、これら昇降コードＣ１，Ｃ２，Ｃ３の下端にボトムレール４が取着されている。
【００３２】
ヘッドボックス１内にはラダーコード２及び昇降コードＣ１，Ｃ２，Ｃ３を支持する支持部材５が配設され、この支持部材５には六角棒状の角度調節軸１３が挿通されている。
【００３３】
支持部材５にはチルトドラム５１が回転可能に支持され、このチルトドラム５１に角度調節軸１３が相対回転不能に挿通されている。従って、角度調節軸１３が回転されると、当該チルトドラム５１が回転し、ラダーコード２により吊下支持された多数段のスラット３の角度が同位相で調節されるようになっている。尚、支持部材５には、ボトムレール４に一端を取着する昇降コードＣ１，Ｃ２，Ｃ３の各他端をヘッドボックス１内の長手方向へ案内するよう転向させる転向滑車５２を設けるのが好適である。
【００３４】
ヘッドボックス１内の右端側には、チルト操作グリップ１０に一端を取着したチルト操作棒９を垂下するチルト窓部１１が形成されている。このチルト窓部１１を介して、チルト操作棒９の他端は、ヘッドボックス１内に設けられる操作装置内のギヤ機構１２の入力軸に連結されている。また、ギヤ機構１２の出力軸には角度調節軸１３が連結されており、チルト操作棒９の回転が角度調節軸１３の回転へと伝達するよう構成されている。従って、チルト操作グリップ１０を回転操作することで、角度調節軸１３にその回転を伝達し、支持部材５を介してラダーコード２により吊下支持された多数段のスラット３の角度を調節することができる。
【００３５】
ボトムレール４に一端を取着する昇降コードＣ１，Ｃ２，Ｃ３の各他端は、支持部材５を介してヘッドボックス１内の右端側に案内され、ヘッドボックス１内のストッパー装置１５を介した後、チルト窓部１１におけるコード出口を経て外部に導出されてチルト操作棒９及びチルト操作グリップ１０内に案内され、そのチルト操作棒９の下端部において、自動巻上式把手８に接続されている。
【００３６】
この自動巻上式把手８は、昇降コードＣ１，Ｃ２，Ｃ３を引き出す際に用いるつまみ（把手）として機能するものである。特に、本発明に係る自動巻上式把手８の構成についての詳細は後述するが、操作者が自動巻上式把手８を掴んで昇降コードＣ１，Ｃ２，Ｃ３を引き出すことでスラット３の昇降に係る引き操作を可能とし、操作者が自動巻上式把手８を手放すと、当該チルト操作グリップ１０の下端部から余分に引き出されていた昇降コードＣ１，Ｃ２，Ｃ３を、自動的に巻き上げて収納するようになっている。
【００３７】
即ち、チルト操作グリップ１０の下端部に設けられる自動巻上式把手８を掴んで昇降コードＣ１，Ｃ２，Ｃ３をヘッドボックス１（即ち、チルト操作グリップ１０の下端部）から引き出せば、ボトムレール４が引き上げられて、スラット３が上昇する。
【００３８】
昇降コードＣ１，Ｃ２，Ｃ３の引き出し操作を停止すれば、ストッパー装置１５が作動して、スラット３及びボトムレール４の自重降下が防止される。この時、チルト操作グリップ１０の下端部から余分に引き出されている昇降コードＣ１，Ｃ２，Ｃ３は、自動巻上式把手８により自動的に巻き上げて収納され、自動巻上式把手８はチルト操作グリップ１０の下端部の位置に戻る。また、昇降コードＣ１，Ｃ２，Ｃ３を僅かに引き出す操作でストッパー装置１５の作動を解除すれば、スラット３及びボトムレール４はその自重に基づいて下降する。この時、自動巻上式把手８では、その巻上力に抗して昇降コードＣ１，Ｃ２，Ｃ３が巻き戻され、同様に自動巻上式把手８はチルト操作グリップ１０の下端部の位置に戻るようになっている。
【００３９】
（実施例１の自動巻上式把手）
図２は、本実施形態の横型ブラインドにおける実施例１の自動巻上式把手８の概略構成を示す分解斜視図である。
【００４０】
本実施例の自動巻上式把手８は、リール８０と、互いに係着可能な一対のケース部８１ａ，８１ｂと、一対の押圧部８２ａ，８２ｂと、ぜんまい８３と、圧縮バネ８４とを備える。
【００４１】
リール８０は、昇降コードＣ１，Ｃ２，Ｃ３の末端を取着し巻き取り可能とする丸軸状の巻取軸８０１の両端に、一対の丸板状のリール台８０２が固着されて構成されている。この一対の丸板状のリール台８０２の周縁には、それぞれ一回転方向へ湾曲する曲歯状の歯部８０４が形成されている。また、一対の板状のリール台８０２の各々には、その中心から外方に向かって、巻取軸８０１と同軸線上となるよう突出する支持軸８０３が設けられている。支持軸８０３は、リール８０を収容する一対のケース部８１ａ，８１ｂを互いに係着させた時に形成される支持孔８１３によって回転可能に支持される。
【００４２】
そして、支持軸８０３にはぜんまい８３の一端８３ａを差し込んで係止するための溝状の係止部８０５が設けられ、この支持軸８０３の周面にぜんまい８３が巻き付けられる。ぜんまい８３の他端８３ｂは、一対のケース部８１ａ，８１ｂを互いに係着させた時に形成される内部周壁８１４において、その内部周壁８１４上の当接部８１４ａと対向する位置の係止部８１４ｂにて挟み込むように係止される。
【００４３】
一対のケース部８１ａ，８１ｂは、それぞれ同一形状を有し、リール８０及びぜんまい８３を収容する収容部８１１が形成され、互いに係着可能とする凹部８１７及び凸部８１８が互いに当接する側の四隅にて対向して設けられている。この一対のケース部８１ａ，８１ｂの係着には容易には外れないようにするために接着材等を利用できる。
【００４４】
一対のケース部８１ａ，８１ｂは、リール８０及びぜんまい８３を収容すると、リール８０の支持軸８０３を支持孔８１３によって回転可能に支持し、尚且つぜんまい８３を収容する内部周壁８１４上の係止部８１４ｂにてぜんまい８３の他端８３ｂを係止する。
【００４５】
また、リール８０の巻取軸８０１に昇降コードＣ１，Ｃ２，Ｃ３の末端が取着され巻き取られていない状態でボトムレール４が下限位置となるように昇降コードＣ１，Ｃ２，Ｃ３の長さが調整されている。このボトムレール４が下限位置となる状態で既に、ぜんまい８３の所定の巻上力が発生するように、支持軸８０３はぜんまい８３を巻き付けて、そのぜんまい８３の一端８３ａを係止部８０５で係止している。
【００４６】
そして、ぜんまい８３の巻上力により、ボトムレール４が上限位置となるまで昇降コードＣ１，Ｃ２，Ｃ３が引き出されても、チルト操作グリップ１０の下端部から余分に引き出される昇降コードＣ１，Ｃ２，Ｃ３を全て巻き上げるようになっている。尚、一対の板状のリール台８０２の各々は、昇降コードＣ１，Ｃ２，Ｃ３を全て巻き上げ巻取軸８０１上で巻き太りした際の径よりも十分に大きい径を有している。このため、ぜんまい８３の両端８３ａ，８３ｂは、ぜんまい８３の所定の巻上力が常時発生するように、それぞれ支持軸８０３の係止部８０５と一対のケース部８１ａ，８１ｂによる係止部８１４ｂにて係止される。そして、一対のケース部８１ａ，８１ｂの内部周壁８１４は、そのぜんまい８３によって発生させる巻上力を阻害しないよう収容するようになっている。尚、ぜんまい８３によるリール８０における巻取軸８０１の昇降コードＣ１，Ｃ２，Ｃ３に対する巻上方向は矢印で示している。
【００４７】
尚、本実施形態における実施例１の自動巻上式把手８の例では、図３（ａ）に示すように、一対のケース部８１ａ，８１ｂが互いに係着したときに形成される内部周壁８１４において、ぜんまい８３の一端８３ａを支持軸８０３の係止部８０５に差し込んで係止するとともに、ぜんまい８３の他端８３ｂを内部周壁８１４上の上方の当接部８１４ａと対向する下方の位置の係止部８１４ｂにて挟み込むように係止して、ぜんまい８３を支持軸８０３に巻き付ける構成とする例を説明したが、このような構成に限定する必要はない。
【００４８】
例えば、図３（ｂ）に示すように、一対のケース部８１ａ，８１ｂが互いに係着したときに、上下二箇所で互いに当接する当接部８１４ａにより形成される内部周壁８１４とし、この上下二箇所の当接部８１４ａとは異なる内部周壁８１４上の任意位置に、一つ以上の切込みを設け、この切込みにより係止部８１４ｂを形成してもよい。即ち、ぜんまい８３の一端８３ａを支持軸８０３の係止部８０５に差し込んで係止するとともに、ぜんまい８３の他端８３ｂを内部周壁８１４上の当該切込みによる係止部８１４ｂに差し込んで係止して、ぜんまい８３を支持軸８０３に巻き付ける構成とすることができる。
【００４９】
尚、図３（ｂ）に示すぜんまい８３の他端８３ｂの係止方法（図示Ａ）の別例として、図３（ｃ）の図示Ａ拡大図で例示するように、ぜんまい８３の他端８３ｂの周辺を例えばコの字状に屈曲させた形状とし、例えばケース部８１ａにおける内部周壁８１４の一部に挿通孔８１４ｃ及び係止部８１４ｂを設けて、ぜんまい８３の他端８３ｂを係止する構成とすることもできる。図３（ｃ）に示す例では、ぜんまい８３の他端８３ｂを内部周壁８１４の内方から挿通孔８１４ｃに挿通した後、内部周壁８１４の外方から係止部８１４ｂに差し込んで係止することができる。このように、ぜんまい８３の他端８３ｂを内部周壁８１４に対し様々な係止方法で係止することができ、上述した例に限定する必要はない。
【００５０】
また、本実施形態における実施例１の自動巻上式把手８では、ぜんまい８３を、図２にて図示する手前側の支持軸８０３に設ける例としているが、ぜんまい８３を奥側の支持軸８０３に設けてもよいし、当該手前側及び奥側の二箇所の支持軸８０３のそれぞれに対し個別にぜんまい８３を設けてもよい。
【００５１】
一対のケース部８１ａ，８１ｂが互いに係着されると、概ね円柱状となり、その円柱状の一対のケース部８１ａ，８１ｂの上部に形成される挿通孔８１０を経て昇降コードＣ１，Ｃ２，Ｃ３が挿通されて巻取軸８０１に取着される。このため、リール８０は昇降コードＣ１，Ｃ２，Ｃ３によって吊下支持される。
【００５２】
当該吊下支持されるリール８０において、互いに係着させた一対のケース部８１ａ，８１ｂの円柱状の曲面の一部には、それぞれ対向する一対の開口部８１２が形成され、当該円柱状の平面には、それぞれ上下一組で左右方向に直線上に延びる案内溝８１６が形成される。また、一対のケース部８１ａ，８１ｂの収容部８１１では、当該上下一組の案内溝８１６の間に内部周壁８１４が位置して、その内部周壁８１４の上方及び下方に開口部８１２と通じる案内壁８１５が形成されている。また、当該吊下支持されるリール８０において、互いに係着させた一対のケース部８１ａ，８１ｂの円柱状の曲面の前後上下の略端部近傍の位置に、合計８個の圧縮バネ８４の各一端をそれぞれ係止しその伸縮を保持するための溝部８１９が図示するように８箇所に設けられている。
【００５３】
圧縮バネ８４の各他端は、一対のケース部８１ａ，８１ｂに対し所定長で相対移動可能に係合する一対の押圧部８２ａ，８２ｂの前後上下の略端部近傍の位置の突起部８２６により保持される。
【００５４】
一対の押圧部８２ａ，８２ｂは、それぞれ図示するような同一の曲面形状を有し、一対のケース部８１ａ，８１ｂの各開口部８１２を覆う壁部８２１が形成されるとともに、一対のケース部８１ａ，８１ｂの各案内壁８１５に案内されるそれぞれの案内片８２３が突出している。各案内片８２３の先端近傍には、一対のケース部８１ａ，８１ｂの案内溝８１６と所定長で相対移動可能に係合する爪部８２４が形成されている。尚、一対の押圧部８２ａ，８２ｂにおける案内片８２３と突起部８２６との間は、当該所定長の相対移動を確保するのに十分な切欠き８２５が形成されている。
【００５５】
このように一対のケース部８１ａ，８１ｂに対し所定長で相対移動可能に一対の押圧部８２ａ，８２ｂが係合した状態では、圧縮バネ８４は常に伸長方向へ付勢する付勢力が生じるようになっており、常には（非操作時には）、一対の押圧部８２ａ，８２ｂの各爪部８２４が一対のケース部８１ａ，８１ｂの各案内溝８１６における可動域の端部へと当接して保持される。
【００５６】
一対の押圧部８２ａ，８２ｂのそれぞれの壁部８２１の曲面状の内壁面には制動片８２２が形成され、制動片８２２は図示するように前後方向に延在し板状に突出している。一対のケース部８１ａ，８１ｂに対し所定長で相対移動可能に一対の押圧部８２ａ，８２ｂが係合した状態で、常には（非操作時には）、制動片８２２が一対の押圧部８２ａ，８２ｂに収容されるリール８０における各リール台８０２の歯部８０４と当接することはなく、ぜんまい８３によるリール８０における巻取軸８０１の昇降コードＣ１，Ｃ２，Ｃ３に対する巻上力が生じる。このため、自動巻上式把手８の上端部がチルト操作グリップ１０の下端部に当接するまで昇降コードＣ１，Ｃ２，Ｃ３が自動的に巻き上げられる。
【００５７】
より具体的に、自動巻上式把手８の動作について、図４及び図５を参照して説明する。図４（ａ）,（ｂ）は、それぞれ本実施形態の横型ブラインドにおける実施例１の自動巻上式把手８の操作時及び非操作時の操作方法を示す断面正面図である。また、図５（ａ）,（ｂ）は、それぞれ本実施形態の横型ブラインドにおける実施例１の自動巻上式把手８の操作に関する動作を示す部分的な正面図である。
【００５８】
操作者が自動巻上式把手８を把持してスラット３を昇降操作する際には、図４（ａ）に示すように、一対の押圧部８２ａ，８２ｂのいずれか一方、又は双方を一対のケース部８１ａ，８１ｂに対し圧縮バネ８４の付勢力に抗して押し込む。一対の押圧部８２ａ，８２ｂのいずれか一方、又は双方が一対のケース部８１ａ，８１ｂに対して押し込まれると、制動片８２２がリール８０におけるリール台８０２の歯部８０４と噛合し、支持軸８０３で一対のケース部８１ａ，８１ｂに回転可能に支持されるリール８０は、巻取軸８０１に末端ｐが取着される昇降コードＣ１，Ｃ２，Ｃ３の巻き上げが不能となるようロックされる。このように、一対の押圧部８２ａ，８２ｂを押し込んだ状態で自動巻上式把手８の引き操作を行うと、昇降コードＣ１，Ｃ２，Ｃ３がヘッドボックス１から引き出され、スラット３及びボトムレール４の昇降操作が可能となる（図５（ａ）参照）。
【００５９】
続いて、操作者が自動巻上式把手８を手放すと、図４（ｂ）に示すように、制動片８２２がリール８０におけるリール台８０２の歯部８０４と当接しなくなるまで圧縮バネ８４の付勢力により一対の押圧部８２ａ，８２ｂが一対のケース部８１ａ，８１ｂから押し戻される。このため制動片８２２による当該ロックが解除され、ストッパー装置１５が作動している場合ではそのスラット３及びボトムレール４の昇降状態を維持したまま、チルト操作グリップ１０の下端部から余分に引き出されている昇降コードＣ１，Ｃ２，Ｃ３は全てぜんまい８３の巻上力により巻取軸８０１に巻き上げられ、自動巻上式把手８内に収納される（図５（ｂ）参照）。
【００６０】
尚、自動巻上式把手８を手放した時に、ストッパー装置１５が作動していない場合ではぜんまい８３による付勢力に抗してボトムレール４の下限位置まで昇降コードＣ１，Ｃ２，Ｃ３がヘッドボックス１内に引き込まれる。従って、このぜんまい８３は、ボトムレール４の下降速度を一定速度以下に制限するブレーキ装置としても作用する。この場合もチルト操作グリップ１０の下端部に自動巻上式把手８が位置するまで、チルト操作グリップ１０の下端部から余分に引き出されている昇降コードＣ１，Ｃ２，Ｃ３は全て巻取軸８０１に巻き上げられ、自動巻上式把手８内に収納される。
【００６１】
従って、ぜんまい８３は、リール８０を昇降コードＣ１，Ｃ２，Ｃ３の巻取方向へ付勢する回転付勢手段として機能する。また、制動片８２２及びリール８０におけるリール台８０２の歯部８０４は、昇降コードＣ１，Ｃ２，Ｃ３の移動操作時に可動する一対の押圧部８２ａ，８２ｂによりリール８０の回転を阻止する回転阻止手段として機能する。そして、圧縮バネ８４は、押圧部８２ａ，８２ｂにおける制動片８２２をリール８０から離間させる付勢手段として機能する。
【００６２】
（横型ブラインドの動作）
ここで、より具体的に、図６乃至図８を参照して、ボトムレール４が下限位置にある状態から、実施例１の自動巻上式把手８を利用してスラット３及びボトムレール４を昇降させる際の横型ブラインドの動作について説明する。まず、図６（ａ）は、ボトムレール４が下限位置にある状態の本実施形態の横型ブラインドを示している。
【００６３】
図６（ａ）に示すようにボトムレール４が下限位置にある状態から、実施例１の自動巻上式把手８を利用してスラット３及びボトムレール４を上昇させるためには、図６（ｂ）に示すように、操作者が一対の押圧部８２ａ，８２ｂのいずれか一方、又は双方を一対のケース部８１ａ，８１ｂに対し押し込むように自動巻上式把手８を把持して、昇降コードＣ１，Ｃ２，Ｃ３を下方へ引き出す。この引き出し操作時には、ストッパー装置１５の作動が解除され、昇降コードＣ１，Ｃ２，Ｃ３をヘッドボックス１から引き出すことができ、スラット３及びボトムレール４を上昇させることができる。
【００６４】
図６（ｂ）に示すスラット３及びボトムレール４の上昇操作を経て、操作者が自動巻上式把手８を手放すと、ストッパー装置１５が作動してスラット３及びボトムレール４の自重降下が防止される。すると、図７に示すように、チルト操作グリップ１０の下端部から余分に引き出されていた昇降コードＣ１，Ｃ２，Ｃ３は、実施例１の自動巻上式把手８により自動的に巻き上げられて、実施例１の自動巻上式把手８内に収納された状態となる。
【００６５】
一方、図７に示すストッパー装置１５の作動状態からスラット３及びボトムレール４を自重降下で下降させるには、図８（ａ）に示すように、まず、操作者が一対の押圧部８２ａ，８２ｂのいずれか一方、又は双方を一対のケース部８１ａ，８１ｂに対し押し込むように自動巻上式把手８を把持して（ステップＳ１）、昇降コードＣ１，Ｃ２，Ｃ３を僅かに下方へ引き出す（ステップＳ２）。すると、ストッパー装置１５の作動が解除される（ステップＳ３）。
【００６６】
続いて操作者が自動巻上式把手８を手放すと、図８（ｂ）に示すように、チルト操作グリップ１０の下端部から余分に引き出されている昇降コードＣ１，Ｃ２，Ｃ３を全て巻き上げて収納されて、チルト操作グリップ１０の下端部に自動巻上式把手８が当接するとともに（ステップＳ４）、ストッパー装置１５は作動解除状態となるとその状態が維持され、スラット３及びボトムレール４が自重降下し（ステップＳ５）、ぜんまい８３による付勢力に抗してボトムレール４の下限位置まで昇降コードＣ１，Ｃ２，Ｃ３がヘッドボックス１内に引き込まれる。尚、ステップＳ４の動作とステップＳ５の動作は、ほぼ同時になる場合や、ステップＳ５の動作が発生しつつステップＳ４の動作へと移行することもあり、横型ブラインドの仕様やぜんまい８３の仕様等によって異なる。従って、このぜんまい８３は、ボトムレール４の下降速度を一定速度以下に制限するブレーキ装置としても作用する。
【００６７】
即ち、自動巻上式把手８におけるぜんまい８３の付勢力は、スラット３及びボトムレール４の自重下降する力よりも弱くなるよう設定されている。また、ストッパー装置１５は、自動巻上式把手８を僅かに下方へ引いた後に手放すことで、スラット３及びボトムレール４の自重下降の防止機能について作動解除状態を維持するよう構成されている。
【００６８】
そして、ボトムレール４が下限位置になる場合でも、実施例１の自動巻上式把手８により昇降コードＣ１，Ｃ２，Ｃ３がチルト操作グリップ１０の下端部から余分に引き出されていることが無いよう自動的に巻き上げられ、図６（ａ）に示す状態となる。
【００６９】
以上のように、本実施形態の横型ブラインド及び実施例１の自動巻上式把手８によれば、スラット３を移動させるための昇降コードＣ１，Ｃ２，Ｃ３の移動操作に関して、その非操作時では常に、チルト操作グリップ１０の下端部から余分に引き出されている昇降コードＣ１，Ｃ２，Ｃ３を全て巻き上げて収納する。これにより、自動巻上式把手８が定位置に保持されるため、当該昇降コードＣ１，Ｃ２，Ｃ３の移動操作に係る操作性を向上させることができる。
【００７０】
（変形例の自動巻上式把手）
前述した実施例１の自動巻上式把手８では、一対の押圧部８２ａ，８２ｂのいずれか一方、又は双方を一対のケース部８１ａ，８１ｂに対し押し込むことで操作可能とする例を説明したが、様々な変形例が想定される。例えば、図９（ａ）,（ｂ），（ｃ）、並びに、図１０（ａ）,（ｂ），（ｃ）は、それぞれ実施例１の自動巻上式把手８に対する更なる変形例を示す断面正面図である。尚、同様な構成要素には同一の参照番号を付している。
【００７１】
図９（ａ）に示す変形例１の自動巻上式把手８は、実施例１の自動巻上式把手８と比較して、ケース部８１ｂに開口部８１２を設けることなく、このため押圧部８２ｂを係合させずに不要とし、ケース部８１ａに対してのみ押圧部８２ａを押し込み操作可能に係合させた例である。このように構成した場合では、片側側方からの押圧部８２ａの押し込み操作で、実施例１の自動巻上式把手８と同様の作用・効果を得ることができる。
【００７２】
図９（ｂ）に示す変形例２の自動巻上式把手８は、実施例１の自動巻上式把手８と比較して、ケース部８１ｂに開口部８１２を設けることなく、このため押圧部８２ｂを係合させずに不要とし、ケース部８１ａに対してのみ押圧部８２ａを押し込み操作可能に係合させるとともに、実施例１のような挿通孔８１０を一対のケース部８１ａ，８１ｂの係着で形成する代わりに、押圧部８２ａに挿通孔８２０を設け、この挿通孔８２０に昇降コードＣ１，Ｃ２，Ｃ３を挿通するよう構成した例である。このように構成した場合では、上方からの押圧部８２ａの押し込み操作で、実施例１の自動巻上式把手８と同様の作用・効果を得ることができる。
【００７３】
図９（ｃ）に示す変形例３の自動巻上式把手８は、実施例１の自動巻上式把手８と比較して、ケース部８１ｂに開口部８１２を設けることなく、このため押圧部８２ｂを係合させずに不要とし、ケース部８１ａに対してのみ押圧部８２ａを押し込み操作可能に係合させるとともに、実施例１のような挿通孔８１０を一対のケース部８１ａ，８１ｂの係着で形成する代わりに、ケース部８１ｂに挿通孔８３０を設け、この挿通孔８３０に昇降コードＣ１，Ｃ２，Ｃ３を挿通するよう構成した例である。このように構成した場合では、下方からの押圧部８２ａの押し込み操作で、実施例１の自動巻上式把手８と同様の作用・効果を得ることができる。
【００７４】
図１０（ａ）に示す変形例４の自動巻上式把手８は、実施例１の自動巻上式把手８と比較して、一対の押圧部８２ａ，８２ｂの上端を一対のケース部８１ａ，８１ｂの上端で相対回動可能に枢支する枢支部８５を設け、圧縮バネ８４を一対の押圧部８２ａ，８２ｂ及び一対のケース部８１ａ，８１ｂのそれぞれの下端側にのみ設けた例である。この回動に適するように、図２に示すケース部８１ａ，８１ｂのそれぞれの下端側における案内壁８１５及び案内溝８１６、並びに、一対の押圧部８２ａ，８２ｂの下端側における案内片８２３、突起部８２６、及び切欠き８２５を変形適用することで実現できる。このように構成した場合では、実施例１の自動巻上式把手８と同様の作用・効果を得ることができるとともに、押圧部８２ａの押し込み操作力を低減させ、尚且つ部品点数の減少による低廉化を図ることができる。
【００７５】
図１０（ｂ）に示す変形例５の自動巻上式把手８は、実施例１の自動巻上式把手８と比較して、ケース部８１ｂに開口部８１２を設けることなく、このため押圧部８２ｂを係合させずに不要とし、ケース部８１ａに対してのみ押圧部８２ａを押し込み操作可能に係合させ、尚且つ押圧部８２ａを平板状とし突起部８２７を上下の二箇所に設けた例である。このように構成した場合では、上下の突起部８２７のいずれか一方により点集中させた押圧部８２ａの押し込み操作が可能となり、実施例１の自動巻上式把手８と同様の作用・効果を得ることができる。
【００７６】
図１０（ｃ）に示す変形例６の自動巻上式把手８は、実施例１の自動巻上式把手８と比較して、ケース部８１ｂに開口部８１２を設けることなく、このため押圧部８２ｂを係合させずに不要とし、ケース部８１ａに対してのみ押圧部８２ａを押し込み操作可能に係合させ、尚且つ押圧部８２ａを平板状とし突起部８２７を略中央の一箇所に設けた例である。このように構成した場合でも、一箇所の突起部８２７により点集中させた押圧部８２ａの押し込み操作が可能となり、実施例１の自動巻上式把手８と同様の作用・効果を得ることができる。
【００７７】
（実施例２の自動巻上式把手）
前述した実施例１並びに各変形例の自動巻上式把手８では、圧縮バネ８４が外部から視認される形状で、一対の押圧部８２ａ，８２ｂ及び一対のケース部８１ａ，８１ｂを形成した例を説明したが、様々な変形例が想定される。例えば、図１１は、本実施形態の横型ブラインドにおける実施例２の自動巻上式把手８の概略構成を示す分解斜視図である。尚、同様な構成要素には同一の参照番号を付している。
【００７８】
実施例２の自動巻上式把手８では、圧縮バネ８４が外部から視認されないよう、一対の押圧部８２ａ，８２ｂ及び一対のケース部８１ａ，８１ｂを形成している。より具体的には、本実施例の自動巻上式把手８は、実施例１と同様に、リール８０と、互いに係着可能な一対のケース部８１ａ，８１ｂと、一対の押圧部８２ａ，８２ｂと、ぜんまい８３と、圧縮バネ８４とを備える。
【００７９】
リール８０、ぜんまい８３、及び圧縮バネ８４の形状は、実施例１と同様である。
【００８０】
実施例２における一対の押圧部８２ａ，８２ｂは、実施例１と比較して、一対のケース部８１ａ，８１ｂの各開口部８１２を覆う壁部８２１が、圧縮バネ８４をも覆うように延在する上側壁部８２１ａ及び下側壁部８２１ｂを有するよう形成されている点で相違しているが、その他の点ではほぼ同様である。
【００８１】
また、実施例２における一対のケース部８１ａ，８１ｂは、実施例１と比較して、当該上側壁部８２１ａ及び下側壁部８２１ｂの相対移動を可能とするよう、合計８個の圧縮バネ８４の各一端を係止しその伸縮を保持するための溝部８１９について、それぞれ上下の一対の溝部８１９と連通する間隙部８１９ａが形成されている点で相違しているが、その他の点ではほぼ同様である。
【００８２】
このように一対のケース部８１ａ，８１ｂと、一対の押圧部８２ａ，８２ｂを形成することで、圧縮バネ８４が外部から視認されないようになり、その意匠性が向上し、埃等の侵入を防ぎ動作が安定化する利点がある。
【００８３】
そして、実施例２の自動巻上式把手８においても、実施例１の自動巻上式把手８と同様の作用・効果を得ることができ、変形例１乃至６のような更なる形状変更も可能である。
【００８４】
従って、包括的には、本発明に係る自動巻上式把手８は、遮蔽材（上述した実施形態の例ではスラット３）を移動させるためのコード（上述した実施形態の例では昇降コードＣ１，Ｃ２，Ｃ３）の移動操作に係る当該コードに対し自動巻き上げによる収納機能を持つよう構成される。そして、本発明に係る自動巻上式把手８は、当該遮蔽材を移動させるためのコードの移動操作のために引き出し可能に導出される当該コードの末端を巻取可能に吊下されるリール８０と、リール８０を巻取方向へ付勢する回転付勢手段（上述した実施形態の例ではぜんまい８３）と、リール８０及び当該回転付勢手段を収容するケース部８１ａ，８１ｂと、ケース部８１ａ，８１ｂの一部に設けられ操作者の操作により可動する押圧部８２ａ，８２ｂとを備える。尚、当該回転付勢手段として、上述した実施形態の例では支持軸８０３を利用するぜんまい８３を例示したが、例えば巻取軸８０１にて昇降コードＣ１，Ｃ２，Ｃ３の巻き取り領域とぜんまい８３の巻き付け領域を区分する壁部を設けるなどして、巻取軸８０１を利用する構造とすることも可能である。
【００８５】
押圧部８２ａ，８２ｂは、当該コードの移動操作時に可動してリール８０の回転を阻止する回転阻止手段を有し、当該移動操作の非操作時に当該回転付勢手段によるリール８０の回転を許容し、当該コードの自動巻き上げを可能とするよう構成される。これにより、遮蔽材を移動させるためのコードの移動操作に係る操作性を向上させることができる。ただし、このような回転阻止手段は、上述した実施形態の例では制動片８２２及びリール８０におけるリール台８０２の歯部８０４との噛合により構成した例を説明したが、その他の構成として、リール台８０２の周縁にローレットを刻印し、制動片８２２の代わりにゴム材等の滑り止め部材を取着して、当該ローレットと滑り止め部材との当接でリール８０の回転を阻止するよう構成することもでき、上述した例に限定する必要はない。
【００８６】
そして、押圧部８２ａ，８２ｂは、ケース部８１ａ，８１ｂの一側部、両側部、上部、又は下部のうち少なくとも１つの部位に設けることができる。これにより、操作者によって適切な利用形態を提供できる。
【００８７】
また、本発明に係る自動巻上式把手８は、当該移動操作の非操作時に、押圧部８２ａ，８２ｂにおける当該回転阻止手段をリール８０から離間させる付勢手段（上述した実施形態の例では圧縮バネ８４）を備えている。これにより、非操作時の状態を定状態化させ、その操作が容易になる。尚、圧縮バネ８４と同様な付勢力を生じさせるものであれば任意のバネを利用できる。
【００８８】
また、本発明に係る自動巻上式把手８は、当該移動操作の非操作時に、所定の操作棒の末端に位置するよう当該回転付勢手段により付勢される。これにより、自動巻上式把手８の位置を定位置にすることができ、その操作が容易になる。
【００８９】
以上、特定の実施形態の例を挙げて本発明を説明したが、本発明は前述の実施形態の例に限定されるものではなく、その技術思想を逸脱しない範囲で種々変形可能である。例えば、上述した実施形態における各実施例や変形例の自動巻上式把手８では、押圧部８２ａ，８２ｂの押し込みの有無で、昇降コードＣ１，Ｃ２，Ｃ３の巻き上げが不能となるようロックするか否かが作動するよう構成した例を説明したが、更なる変形例として、一回目の押圧部８２ａ，８２ｂの押し込み操作でその押し込み状態が保持され、二回目の当該押し込み操作でその押し込み状態が解除されるような２回の押し込み操作によるスイッチ式の構造とすることもできる。
【００９０】
このような２回の押し込み操作によるスイッチ式の構造とした場合には、当該２回の押し込み操作により昇降コードＣ１，Ｃ２，Ｃ３の自動巻き上げを可能とするとともに、１回の押し込み操作でチルト操作グリップ１０の下端部から余分に引き出されている昇降コードＣ１，Ｃ２，Ｃ３の長さ調整を行い、その状態を保持させる機能をも持たせることができる。
【００９１】
尚、上述した実施形態の例では、チルト操作棒９及びチルト操作グリップ１０の内部に昇降コードＣ１，Ｃ２，Ｃ３を挿通し自動巻上式把手８へ自動巻き上げ可能に取着する例を説明したが、必ずしもチルト操作グリップ１０を設ける必要はない。更には、チルト操作に係るチルト操作棒９及びチルト操作グリップ１０の内部に昇降コードＣ１，Ｃ２，Ｃ３を挿通する形態でなくとも、昇降コードＣ１，Ｃ２，Ｃ３専用の昇降操作棒を用意してこの昇降操作棒の内部に昇降コードＣ１，Ｃ２，Ｃ３を挿通し自動巻上式把手８へ自動巻き上げ可能に取着する構成としてもよい。従って、単に「操作棒」と称するときは、チルト操作グリップ１０の有無や、チルト操作用であるか否かを問わない。また、昇降コードは１本や２本でもよいし４本以上でもよく、上述した例に限定する必要はない。
【産業上の利用可能性】
【００９２】
本発明によれば、遮蔽材を移動させるためのコードの移動操作に係る操作性を向上させることができるので、横型ブラインド、プリーツスクリーン、ローマンシェード、或いは、縦型ブラインド又はアコーディオンカーテン等の遮蔽装置の用途に有用である。
【符号の説明】
【００９３】
１  ヘッドボックス
２  ラダーコード
３  スラット
４  ボトムレール
５  支持部材
８  自動巻上式把手
９  チルト操作棒
１０  チルト操作グリップ
８０  リール
８１ａ，８１ｂ  ケース部
８２ａ，８２ｂ  押圧部
８３  ぜんまい
８４  圧縮バネ
Ｃ１，Ｃ２，Ｃ３  昇降コード
【図１】
2018003440.tif 000003
【図２】
2018003440.tif 000004
【図３】
2018003440.tif 000005
【図４】
2018003440.tif 000006
【図５】
2018003440.tif 000007
【図６】
2018003440.tif 000008
【図７】
2018003440.tif 000009
【図８】
2018003440.tif 000010
【図９】
2018003440.tif 000011
【図１０】
2018003440.tif 000012
【図１１】
2018003440.tif 000013